(57)【要約】【課題】コンテンツのフレーム情報量を自動的に抽出し、抽出したフレーム情報量に応じてコンテンツの再生速度を調整することで、コンテンツを視聴者にとって最適な再生速度に自動変換して出力可能な情報再生装置および再生速度制御方法を提供すること。【解決手段】情報再生装置は再生するコンテンツのフレーム情報量を検出する手段（１０８）と、再生するコンテンツの再生速度をフレーム情報量に基づいて調整する手段（１０９）とを具備する。【選択図】      図１
2009182803.tif 000002
【特許請求の範囲】
【請求項１】
再生するコンテンツのフレーム情報量を検出する手段と、
再生するコンテンツの再生速度を前記フレーム情報量に基づいて調整する手段と、
を具備する情報再生装置。
【請求項２】
再生するコンテンツの単位情報から取得した表示時刻情報をシステムタイムクロックと比較することにより単位情報の再生タイミングを決定する再生制御手段をさらに具備し、
前記調整手段は前記システムタイムクロックを前記フレーム情報量に基づいて調整し、
前記再生制御手段は前記表示時刻情報と調整後のシステムタイムクロックとを比較することを特徴とする請求項１記載の情報再生装置。
【請求項３】
前記調整手段は前記フレーム情報量が少ない程再生速度を高速に、フレーム情報量が多い程再生速度を低速に調整することを特徴とする請求項２記載の情報再生装置。
【請求項４】
前記調整手段はフレーム情報量と調整量との関係を予め設定したデータベースを含み、該データベースはユーザ操作により変更可能であることを特徴とする請求項３記載の情報再生装置。
【請求項５】
前記検出手段は再生するコンテンツに含まれる副映像の表示領域のサイズ、字幕情報の情報量、音声情報の情報量、フレームの動きベクトルの少なくともいずれかに基づいてフレーム情報量を検出することを特徴とする請求項１乃至請求項４のいずれか一項記載の情報再生装置。
【請求項６】
前記検出手段は副映像ユニットの表示制御シーケンスに含まれる表示領域設定コマンドのデコード結果に基いて副映像の表示領域のサイズを求める手段を具備することを特徴とする請求項５記載の情報再生装置。
【請求項７】
再生するコンテンツのフレーム情報量を検出するステップと、
再生するコンテンツの再生速度を前記フレーム情報量に基づいて調整するステップと、
を具備する再生速度制御方法。
【請求項８】
再生するコンテンツの単位情報から表示時刻情報を取得するステップと、
前記表示時刻情報をシステムタイムクロックと比較することにより単位情報の再生タイミングを決定するステップをさらに具備し、
前記調整ステップは前記システムタイムクロックを前記フレーム情報量に基づいて調整し、
前記再生タイミング決定ステップは前記表示時刻情報と調整後のシステムタイムクロックとを比較することを特徴とする請求項７記載の再生速度制御方法。
【請求項９】
前記調整ステップは前記フレーム情報量が少ない程再生速度を高速に、フレーム情報量が多い程再生速度を低速に調整することを特徴とする請求項８記載の再生速度制御方法。
【請求項１０】
前記調整ステップはフレーム情報量と調整量との関係を予め設定したデータベースに基づいて調整量を決定し、
前記データベースはユーザ操作により変更可能であることを特徴とする請求項９記載の再生速度制御方法。
【請求項１１】
前記検出ステップは再生するコンテンツに含まれる副映像の表示領域のサイズ、字幕情報の情報量、音声情報の情報量、フレームの動きベクトルの少なくともいずれかに基づいてフレーム情報量を検出することを特徴とする請求項７乃至請求項１０のいずれか一項記載の再生速度制御方法。
【請求項１２】
前記検出ステップは副映像ユニットの表示制御シーケンスに含まれる表示領域設定コマンドのデコード結果に基いて副映像の表示領域のサイズを求めることを特徴とする請求項１１記載の再生速度制御方法。
【発明の詳細な説明】
【技術分野】
【０００１】
本発明は媒体に記録されている、あるいはインターネット等を介して供給された映像コンテンツを再生する情報再生装置および再生速度制御方法に関する。
【背景技術】
【０００２】
近年、ＤＶＤやＨＤ  ＤＶＤ等のビデオ・ディスク、およびこれらを再生するプレーヤやＨＤＤ／ＤＶＤレコーダが急速に普及している。テレビ放送番組等のコンテンツデータもＨＤＤやＤＶＤに一度録画してから視聴するというスタイルが主流になってきた。このような状況において、視聴者にとっては膨大なコンテンツを視聴するための時間不足が大きな課題となっている。
【０００３】
従来、ビデオテープレコーダ等の音声の再生を伴う情報再生装置においては、再生時にユーザが動画全体を短時間で見ることができるように倍速再生機能や高速早送り機能等が備えられている。一例として、再生時にユーザが見やすくなると共に聞きづらさを解消できる変速再生装置がある（例えば、特許文献１参照）。
【０００４】
この装置では、映像データ及び音声データを含むコンテンツの記録手段への記録時に、コンテンツのシーンチェンジ毎に、シーンチェンジ間の区間コンテンツの内容を音声データ及び映像データ毎に複数の要素毎に分類してマップを作成して記録手段へ記録し、記録手段からのコンテンツの再生時に、再生される区間コンテンツに対応する音声データ及び映像データに関する要素をマップから読出して、当該区間コンテンツの再生速度を可変にする。具体的には、音声については会話部分、音楽・効果音部分、無音部分に分類し、映像については動きの激しい部分、中程度の動き部分、静止画に近い部分に分類して、これらの組み合わせで再生速度が決まる。
【０００５】
一方、次世代ＨＤ  ＤＶＤでは、単一の主映像に対して、関連する付加情報を含んだ複数種類の副映像が提供され、２種以上の副映像を同時表示させる等、バリエーションに富んだ視聴が可能となる。このような状況においては、フレーム当たりの情報量が増加するため、シーンに応じては通常よりも低速に再生させたいといった要求が生じてくる。
【特許文献１】特開２００６−１２１５７０号公報（段落００２４）
【発明の開示】
【発明が解決しようとする課題】
【０００６】
特許文献１記載の装置は、コンテンツの記録時にマップを作成して記録しなければならず、作成のための回路を付加するハードウェア的な負担と、作成のための時間が必要であるという処理的な負担と、記録するための記憶エリアを余計に必要とする点が問題である。さらに、マップ作成のために一度コンテンツの記録を行うことが前提であるため、コンテンツの記録という操作自体が許可されていないコピープロテクションのかかったコンテンツ再生には適さないという問題もある。さらに、特許文献１記載の装置は、通常よりも低速に再生させたいといった要求に対処できなかった。
【課題を解決するための手段】
【０００７】
本発明の目的は、コンテンツのフレーム情報量を自動的に抽出し、抽出したフレーム情報量に応じてコンテンツの再生速度を調整することで、コンテンツを視聴者にとって最適な再生速度に自動変換して出力可能な情報再生装置および再生速度制御方法を提供することである。
【０００８】
本発明の一態様による情報再生装置は再生するコンテンツのフレーム情報量を検出する手段と、再生するコンテンツの再生速度を前記フレーム情報量に基づいて調整する手段とを具備するものである。
【０００９】
本発明の他の態様による再生速度制御方法は再生するコンテンツのフレーム情報量を検出するステップと、再生するコンテンツの再生速度を前記フレーム情報量に基づいて調整するステップとを具備するものである。
【発明の効果】
【００１０】
視聴者は途中で再生を中断することなく、コンテンツを短時間にかつ理解し易い速度で視聴することが可能となり、膨大なコンテンツを効率よく視聴することができる。
【発明を実施するための最良の形態】
【００１１】
以下、図面を参照して本発明による情報再生装置の実施の形態を説明する。本発明はハードディスクＨＤＤや光ディスクＤＶＤ等の情報記録媒体に記録されたコンテンツの再生や、インターネットでダウンロードしたコンテンツの再生に適用可能である。ＤＶＤやＨＤ  ＤＶＤ等のビデオ・ディスクを再生するプレーヤやＨＤＤ／ＤＶＤレコーダに限らず、ＨＤＤ内蔵のテレビジョン受像機に適用可能である。
【００１２】
図１は本発明の第１の実施の形態に係る情報再生装置のシステム全体の構成図を示す。受信部１０１は、ネットワーク経由でコンテンツデータを受信するための処理部である。ここで、ネットワークは衛生放送、地上波放送、ＣＡＴＶ、ＩＰ放送などの放送波や、インターネット等による通信も含み、いずれかに限定されるものではない。
【００１３】
システム制御部１０３は、本システムの各処理部の動作を統括的に制御するための処理部である。システム制御部１０３に接続されている操作部１０４は、リモコン等外部からの各種制御コマンドを受信し、システム制御部１０３に制御コマンドを渡すものである。制御コマンドとは、例えば、番組データの録画や録画した番組の再生等を指示するコマンドである。
【００１４】
受信部１０１が受信したコンテンツデータは、システム制御部１０３から録画指示が発行された場合、エンコーダ１０２にてエンコードされ、ハードディスクドライブ１０５を介してハードディスクＨに記録、または光ディスクドライブ１０６を介して光ディスクＤに記録される。
【００１５】
システム制御部１０３より、ハードディスクＨまたは光ディスクＤのコンテンツの再生指示が発行された場合は、各記録媒体から読み出されたコンテンツデータがデコーダ１０７でデコードされた後、出力制御部１１０に供給される。出力制御部１１０は、デコードされた映像データと音声データに含まれるＰＴＳ（Ｐｒｅｓｅｎｔａｔｉｏｎ  Ｔｉｍｅ  Ｓｔａｍｐ）等の表示時刻に関する情報と、再生装置が持っているＳＴＣ（Ｓｙｓｔｅｍ  Ｔｉｍｅ  Ｃｌｏｃｋ）の情報を用いて映像と音声の同期をとり、表示画面に出力する。以上が、通常再生の際のデータの流れである。
【００１６】
本実施形態では、デコーダ１０７のデコード結果からフレーム情報量を定量的に抽出する処理部１０８と、抽出された情報量に応じて表示時刻情報ＰＴＳ等で既定されている再生時刻／再生速度を調整、管理する再生速度管理部１０９をさらに備える。フレーム情報量とは各フレームの重要度に関するもので、そのフレームを視聴するのにどれだけ時間が必要かを示す。例えば、字幕を有するコンテンツの場合は、字幕映像である副映像のサイズ、字幕の文字数をフレーム情報量とすることができる。字幕の情報量が少ない場合は、再生速度を高速にしても問題ない。字幕の情報量が多い場合は、ゆっくり再生しないと字幕を読みきれない場合があるので再生速度は低速にすることが好ましい。これ以外に、動きベクトル、音声情報量等をフレーム情報量とすることもできる。ドラマで主人公を含む数人が見つめ合っているシーン等の動きが無い部分は高速で再生しても構わないが、動きが激しい場合は、情報量が多いので再生速度は低速にすることが好ましい。音声が少ないシーンは高速で再生しても構わないが、音声が多いシーンは聞き取れないことを回避するためにゆっくり再生することが好ましい。
【００１７】
このように本実施形態では、情報量の少ないシーン(あまり重要でないシーン)のみをより高速に、情報量の多いシーン(重要なシーン)は視聴可能な範囲で高速に再生するよう自動的に調整する。これにより視聴者はコンテンツをノーカットで短時間に、かつ理解し易い速度で視聴可能となり、視聴効率が大幅に向上される。
【００１８】
以下、具体例の一例として、フレーム情報量として副映像の表示領域サイズを利用する例を説明する。コンテンツには副映像がまったく存在しないシーンも多く含まれるが、副映像が存在しないシーンは高速再生し、副映像が存在するシーンはそのフレーム情報量に応じて再生速度を自動調整する場合について説明する。
【００１９】
図２〜図１８を参照してＤＶＤ規格の副映像のフォーマットを説明する。
【００２０】
副映像を構成する副映像ユニット（ＳＰＵ：Ｓｕｂ  Ｐｉｃｔｕｒｅ  Ｕｎｉｔ）は、図２に示すように、副映像ユニットヘッダ（ＳＰＵＨ：Ｓｕｂ−ｐｉｃｔｕｒｅ  Ｕｎｉｔ  Ｈｅａｄｅｒ）３０１、副映像ピクセルデータ（ＰＸＤ：Ｐｉｘｅｌ  Ｄａｔａ）３０２、表示制御シーケンステーブル（ＳＰ＿ＤＣＳＱＴ：ＳＰ  Ｄｉｓｐｌａｙ  Ｃｏｎｔｒｏｌ  Ｓｅｑｕｅｎｃｅ  Ｔａｂｌｅ）３０３から構成される。副映像ピクセルデータ（ＰＸＤ）３０２は２ビット／１ピクセルである。表示制御シーケンステーブル（ＳＰ＿ＤＣＳＱＴ）３０３は表示制御シーケンＳＰ＿ＤＣＳＱ＃０〜＃ｎからなる。
【００２１】
副映像ユニットＳＰＵの詳細なデータ構造を図３に示す。副映像ユニットヘッダ（ＳＰＵＨ）３０１はＳＰＵの識別情報ＳＰＵ＿ＩＤと、ＳＰＵのサイズＳＰＵ＿ＳＺと、ＤＣＳＱＴの先頭アドレスＳＰ＿ＤＣＳＱＴ＿ＳＡを含む。副映像ピクセルデータ（ＰＸＤ）３０２はランレングス圧縮されたピクセルデータである。ＨＤ  ＤＶＤ規格では、副映像データ（ＰＸＤ）が８ビット／１ピクセルを別のランレングス圧縮規則に従って圧縮したフォーマットも定義されている。
【００２２】
同一のＰＸＤに対して、複数の表示制御シーケンＳＰ＿ＤＣＳＱ＃０〜＃ｎが存在し得る。例えば、カラオケの字幕等、同一の表示文字を時間と共に色を変更したりスクロールして表示させたい場合の用途として、同一のPXDに対して複数のDCSQが存在する。
【００２３】
各表示制御シーケンスＳＰ＿ＤＣＳＱ＃０〜＃ｎは表示制御シーケンスＳＰ＿ＤＣＳＱの開始時刻ＳＰ＿ＤＣＳＱ＿ＳＴＭと、次のＳＰ＿ＤＣＳＱ先頭アドレスＳＰ＿ＮＸ＿ＤＣＳＱ＿ＳＡと、表示制御コマンドＳＰ＿ＤＣＣＭＤを含む。
【００２４】
表示制御コマンドＳＰ＿ＤＣＣＭＤは表示開始タイミング強制設定コマンドＦＳＴＡ＿ＤＳＰ（図６参照）と、表示開始タイミング設定コマンドＳＴＡ＿ＤＳＰ（図７参照）と、表示停止タイミング設定コマンドＳＴＰ＿ＤＳＰ（図８参照）と、カラーコード設定コマンドＳＥＴ＿ＣＯＬＯＲ（図９参照）と、コントラスト設定コマンドＳＥＴ＿ＣＯＮＴＲ（図１０参照）と、表示領域設定コマンドＳＥＴ＿ＤＡＲＥＡ（図１１参照）と、ＰＸＤ先頭アドレス設定（ＳＤ）コマンドＳＥＴ＿ＤＳＰＸＡ（図１２参照）と、カラーコード／コントラスト変更コマンドＣＨＧ＿ＣＯＬＣＯＮ（図１３参照）と、ＰＸＤ先頭アドレス設定（ＨＤ）コマンドＳＥＴ＿ＤＳＰＸＡ２（図１７参照）と、表示制御コマンドの終了コマンドＣＭＤ＿ＥＮＤ（図１８参照）とを含む。
【００２５】
ピクセルデータは図４に示すランレングス圧縮規則に従って圧縮されたビットマップデータである。ビットマップの各２ｂｉｔのピクセルデータの割り当ては図５に示す通りである。背景ピクセルには００、パターンピクセルには０１、強調ピクセル１には１０、強調ピクセル２には１１が割り当てられる。
【００２６】
ランレングス圧縮ルールは同じ値のピクセルデータが連続（継続）する場合、その継続ピクセル数に応じて変わる。
【００２７】
（１）４ビットが１つの単位（ユニット）として設定されるケース（図４（ａ））
同じ値の画素データ（ピクセルデータ）が１〜３連続する場合、最初の２ビットは、画素数（ピクセル数）を示し、次に続く２ビットで具体的なピクセルデータが表される。
【００２８】
（２）８ビットが１つの単位として設定されるケース（図４（ｂ））
同じ値のピクセルデータが４〜１５連続する場合、最初の２ビットは、０とされる。そして次に続く４ビットがピクセル数を示し、次に続く２ビットで具体的なピクセルデータが表される。
【００２９】
（３）１２ビットが１つの単位として設定されるケース（図４（ｃ））
同じ値のピクセルデータが１６〜６３連続する場合、最初の４ビットは、０とされる。そして次に続く６ビットがピクセル数を示し、次に続く２ビットで具体的なピクセルデータが表される。
【００３０】
（４）１６ビットが１つの単位として設定されるケース（図４（ｄ））
同じ値のピクセルデータが６４〜２５５連続する場合、最初の６ビットは、０とされる。そして次に続く８ビットがピクセル数を示し、次に続く２ビットで具体的なピクセルデータが表される。
【００３１】
（５）１６ビットが１つの単位として設定されるケース（図４（ｅ））
同じ値のピクセルデータが１ラインの最後まで連続する場合、最初の１４ビットは、０とされる。そして次に続く２ビットで具体的なピクセルデータが表される。
【００３２】
表示開始タイミング強制設定コマンドＦＳＴＡ＿ＤＳＰは副映像の表示状態のオン／オフに関わりなく副映像ユニットの表示を強制的に開始させるコマンドであり、そのコードは図６に示すように００ｈである。
【００３３】
表示開始タイミング設定コマンドＳＴＡ＿ＤＳＰは副映像ユニットの表示を開始させるコマンドであり、そのコードは図７に示すように０１ｈである。
【００３４】
表示停止タイミング設定コマンドＳＴＰ＿ＤＳＰは副映像ユニットの表示を停止させるコマンドであり、そのコードは図８に示すように０２ｈである。
【００３５】
カラーコード設定コマンドＳＥＴ＿ＣＯＬＯＲはピクセルデータの各ピクセルのカラーを設定するコマンドであり、そのコードは図９に示すように０３ｈである。拡張フィールドに強調ピクセル２、強調ピクセル１、パターンピクセル、背景ピクセルのカラーコードが記述される。
【００３６】
コントラスト設定コマンドＳＥＴ＿ＣＯＮＴＲはピクセルデータの各ピクセルとメインピクセルとのコントラストを設定するコマンドであり、そのコードは図１０に示すように０４ｈである。拡張フィールドに強調ピクセル２、強調ピクセル１、パターンピクセル、背景ピクセルのコントラストが記述される。
【００３７】
表示領域設定ＳＥＴ＿ＤＡＲＥＡコマンドはピクセルデータの表示領域を矩形で設定するコマンドであり、そのコードは図１１に示すように０５ｈである。拡張フィールドに矩形の表示領域の開始／終了点のＸ／Ｙ座標を記述する。
【００３８】
ＰＸＤ先頭アドレス設定（ＳＤ）コマンドＳＥＴ＿ＤＳＰＸＡは表示の先頭ピクセルデータのアドレスを設定するコマンドであり、そのコードは図１２に示すように０６ｈである。拡張フィールドにトップ／ボトムフィールドのＰＸＤ先頭アドレスを記述する。
【００３９】
カラーコード／コントラスト変更コマンドＣＨＧ＿ＣＯＬＣＯＮは再生中の各ビデオフレーム変更のピクセルデータのカラーとコントラストを変更するするコマンドであり、そのコードは図１３に示すように０７ｈであり、拡張フィールドに拡張フィールドのサイズとピクセルコントロールデータＰＸＣＤを記述する。
【００４０】
ピクセルコントロールデータＰＸＣＤはピクセルデータのカラーとコントラストを制御するためのデータであり、図１４に示すようにラインコントロール情報ＬＮ＿ＣＴＬＩとピクセルコントロール情報ＰＸ＿ＣＴＬＩとを含む。ラインコントロール情報ＬＮ＿ＣＴＬＩは同じ変更がなされるラインを指定するものであり、ピクセルコントロール情報ＰＸ＿ＣＴＬＩは変更がなされるライン上の位置を指定するものである。
【００４１】
ラインコントロール情報ＬＮ＿ＣＴＬＩは図１５に示すように変更開始ライン、変更点数、変更終了ラインを記述する。
【００４２】
ピクセルコントロール情報ＰＸ＿ＣＴＬＩは図１６に示すように変更開始点、変更終了点、変更後の強調ピクセル２、強調ピクセル１、パターンピクセル、背景ピクセルのカラー／コントラストを記述する。
【００４３】
ＰＸＤ先頭アドレス設定（ＨＤ）コマンドＳＥＴ＿ＤＳＰＸＡ２は表示の先頭ピクセルデータのアドレスを設定するコマンドであり、そのコードは図１７に示すように８６ｈである。拡張フィールドにトップ／ボトムフィールドのＰＸＤ先頭アドレスを記述する。
【００４４】
表示制御コマンドの終了コマンドＣＭＤ＿ＥＮＤは表示制御シーケンスを終了させるコマンドであり、そのコードは図１８に示すようにＦＦｈである。
【００４５】
図１９を利用して再生速度を制御するための処理手順を説明する。
【００４６】
ブロック２０１でデコーダ１０７はＳＴＣ／ＰＴＳ値をシステム制御部１０３から取得する。
【００４７】
ブロック２０２で補正係数を用いてＳＴＣを補正する。補正後のＳＴＣをＳＴＣ’とすると、補正は以下のように表される。
【００４８】
ＳＴＣ’＝ＳＴＣ×補正係数
補正係数は後述するブロック２０６で決定されるが、未だ決定されていない場合は、補正しない。
【００４９】
ブロック２０３で副映像ユニットをデコードし、以下の式に基づき現在有効な（表示すべき）副映像ユニットＳＰＵ＃とその表示制御シーケンスＤＣＳＱ＃を求める。現在の副映像ユニットをＳＰＵ＃ｎとし、ＳＰＵ＃ｎのＰＴＳをＰＴＳ（ＳＰＵ＃ｎ）とし、
ＳＴＣ’≧ＰＴＳ（ＳＰＵ＃ｎ）
ならば、次のＳＰＵ＃ｎ＋１に進む。
【００５０】
ＳＴＣ’＜ＰＴＳ（ＳＰＵ＃ｎ）ならば、そのＳＰＵ＃ｎが有効となる。
【００５１】
有効なＳＰＵが決まると、その表示制御シーケンスＤＣＳＱ＃０〜＃ｎの中から
ＳＴＣ’＝ＰＴＳ＋（ＤＣＳＱ＿ＳＴＭ<<１０）を満足する表示制御シーケンスＤＣＳＱ＃を求める。なお、“ＤＣＳＱ＿ＳＴＭ<<１０”とはＤＣＳＱ＿ＳＴＭを１０ビット左シフトを意味する。ＤＣＳＱ＿ＳＴＭ<<１０とＰＴＳとを加算すると、表示しなければならない時間が分かる。
【００５２】
ブロック２０４では求められたＳＰＵ＃のＤＣＳＱ＃をデコードする。
【００５３】
ブロック２０５ではＤＣＳＱ＃のデコード結果の中の表示領域設定コマンドＳＥＴ＿ＤＡＲＥＡ（図１１）の中の矩形の副映像の表示領域の開始／終了点のＸ／Ｙ座標に基づいて副映像の表示領域サイズ（画素数）を算出する。
【００５４】
図２０は副映像の最大有効表示領域を示す。副映像の表示領域をＭ行目からＮ行目のＪ画素目〜Ｋ画素目までとすると、最大有効表示領域は以下のようになる。
【００５５】
０≦Ｍａｘ＿Ｘ≦７１９（ＳＤコンテンツの場合）、１９１９（ＨＤコンテンツの場合）
２≦Ｍａｘ＿Ｙ≦４７９（ＮＴＳＣ（ＳＤ）方式の場合）、５７４（ＰＡＬ（ＳＤ）方式の場合）、１０７９（ＨＤコンテンツの場合）
０≦Ｊ≦Ｋ≦Ｍａｘ＿Ｘ
２≦Ｍ≦Ｎ≦Ｍａｘ＿Ｙ
ブロック２０６ではブロック２０５で算出した副映像の表示領域サイズに応じてＳＴＣ補正量を決定する。例えば、図２１のような表示領域サイズと補正係数との関係を表すデータベースを予め用意しておいても良い。図２１はフルＨＤサイズの場合の例であり、ここでは、副映像の表示領域サイズが全画面の１／２以上を占めている場合は×０．８（やや低速）、１／４以上〜１／２未満を占めている場合は×１．０（等速）、副映像が存在しない場合は×２．０（２倍速）と設定している。このデータベースは装置の出荷前に製造者が予め設定しても良いし、ユーザ操作により外部から指定可能としても良い。各表示領域毎の調整量や表示領域の分類数は図２１に限定されず任意に変更してよい。
【００５６】
ブロック２０７で再生終了指示が発行されたか否かを判定し、再生終了指示が発行されるまでブロック２０１からの処理を繰り返し実行する。
【００５７】
以上説明したように、第１の実施によれば、再生したコンテンツからフレーム情報量を抽出し、情報量の少ないシーン（あまり重要でないシーン）のみをより高速に、情報量の多いシーン（重要なシーン）は視聴可能な範囲で高速に再生するようにコンテンツの再生速度を自動的に調整可能となる。このため、視聴者にとっては、コンテンツをノーカットで短時間に、かつ理解し易い速度で視聴可能となり、視聴効率が大幅に向上される。
【００５８】
変形例
本発明は上述した実施の形態に限定されず、種々変形して実施可能である。例えば、上述の説明ではフレーム情報量は副映像の表示領域サイズとしたが、これに限らず、コンテンツに含まれる字幕情報の情報量（文字数等）、音声情報の情報量、フレームの動きベクトル等を用いても良い。また、高速再生を行う場合には、音声出力を自動的にオフにする機能を追加しても良い。再生速度調整用の図２１のデータベースをユーザがコンテンツ毎に嗜好に応じて変更した場合、変更後のデータベースを不揮発性の記憶エリアにコンテンツに対応して記憶するようにしても良い。
【００５９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６０】
【図１】本発明の実施形態に係る情報再生装置のシステム全体を示すブロック図。
【図２】副映像ユニットＳＰＵのデータ構造を示す図。
【図３】副映像ユニットＳＰＵの詳細なデータ構造を示す図。
【図４】副映像ピクセルデータＰＸＤに適用されるランレングス圧縮ルールを示す図。
【図５】副映像ピクセルデータＰＸＤの割当てを示す図。
【図６】表示開始タイミング強制設定コマンドＦＳＴＡ＿ＤＳＰのデータ構造を示す図。
【図７】表示開始タイミング設定コマンドＳＴＡ＿ＤＳＰのデータ構造を示す図。
【図８】表示停止タイミング設定コマンドＳＴＰ＿ＤＳＰのデータ構造を示す図。
【図９】カラーコード設定コマンドＳＥＴ＿ＣＯＬＯＲのデータ構造を示す図。
【図１０】コントラスト設定コマンドＳＥＴ＿ＣＯＮＴＲのデータ構造を示す図。
【図１１】表示領域設定コマンドＳＥＴ＿ＤＡＲＥＡのデータ構造を示す図。
【図１２】ＰＸＤ先頭アドレス設定（ＳＤ）コマンドＳＥＴ＿ＤＳＰＸＡのデータ構造を示す図。
【図１３】カラーコード／コントラスト変更コマンドＣＨＧ＿ＣＯＬＣＯＮのデータ構造を示す図。
【図１４】ピクセルコントロールデータＰＸＣＤの内容を示す図。
【図１５】ラインコントロールデータＬＮ＿ＣＴＬＩの内容を示す図。
【図１６】ピクセルコントロールデータＰＸ＿ＣＴＬＩの内容を示す図。
【図１７】ＰＸＤ先頭アドレス設定（ＨＤ）コマンドＳＥＴ＿ＤＳＰＸＡ２のデータ構造を示す図。
【図１８】表示強制終了コマンドＣＭＤ＿ＥＮＤのデータ構造を示す図。
【図１９】再生速度制御の処理フローを示す図。
【図２０】副映像の有効表示領域を示す図。
【図２１】再生速度調整用のデータベースを示す図。
【符号の説明】
【００６１】
１０１…受信部、１０２…エンコーダ、１０３…システム制御部、１０４…操作部、１０５…ハードディスクドライブ、１０６…光ディスクドライブ、１０７…デコーダ、１０８…フレーム情報量抽出部、１０９…再生速度管理部、１１０…出力制御部。
【図１】
2009182803.tif 000003
【図２】
2009182803.tif 000004
【図３】
2009182803.tif 000005
【図４】
2009182803.tif 000006
【図５】
2009182803.tif 000007
【図６】
2009182803.tif 000008
【図７】
2009182803.tif 000009
【図８】
2009182803.tif 000010
【図９】
2009182803.tif 000011
【図１０】
2009182803.tif 000012
【図１１】
2009182803.tif 000013
【図１２】
2009182803.tif 000014
【図１３】
2009182803.tif 000015
【図１４】
2009182803.tif 000016
【図１５】
2009182803.tif 000017
【図１６】
2009182803.tif 000018
【図１７】
2009182803.tif 000019
【図１８】
2009182803.tif 000020
【図１９】
2009182803.tif 000021
【図２０】
2009182803.tif 000022
【図２１】
2009182803.tif 000023